(57)【要約】【課題】物品の出し入れが容易で、かつ、大型の収納スペースを提供することを目的とする。【解決手段】入り口を１階居室スペースに面したロフトタイプの蔵型収納スペースを設けることで、出し入れが容易で大型の収納スペースを提供することができる。また、該収納スペースを設けることで、ゆとりの空間を有する１階居室スペース、遮音性が優れた遮音スペースを提供することができ、さらに、建物自体の耐震性能の向上を図ることもできる。【選択図】    図１
2007218053.tif 000002
【特許請求の範囲】
【請求項１】
１階居室スペースと、
１階居室スペースの床面から所定の高さに床面を構成する部材を設けることで形成され、天井面が１階居室スペースの天井面と略同一の高さであり、取り出し口が１階居室スペースに面している収納スペースと、
前記収納スペースの天井面の反対面が床面となるように形成された２階居室スペースと、
を有する建物。
【請求項２】
前記収納スペースの天井面を構成する部材は、遮音天井用部材であることを特徴とする請求項１に記載の建物
【請求項３】
前記収納スペースの床面を構成する部材は前記１階居室スペースの壁面を構成する一の壁面から他の壁面にわたされることで配置されている請求項１又は２に記載の建物。
【請求項４】
前記部材はパネルであり、パネル工法により建設されていることを特徴とする請求項１から３のいずれか一に記載の建物。
【請求項５】
前記収納スペースの面積は、建物の２階部分の床面積の１／２未満であることを特徴とする請求項１から４のいずれか一に記載の建物。
【請求項６】
前記収納スペースの床面と天井面との間は１．１ｍ以上１．４ｍ以下であることを特徴とする請求項１から５のいずれか一に記載の建物。
【発明の詳細な説明】
【技術分野】
【０００１】
本発明は、蔵のような大型の収納空間を設けた建物に関するものである。
【背景技術】
【０００２】
一般住宅において、物品等の収納を行うためには、住居棟とは別の倉庫を設けたり、建物の屋根裏、階段下、押入れ、床下棟に収納空間を設けたりすることとしている。
【０００３】
しかし、住居等とは別の倉庫を設ける場合には、広い敷地面積が必要となるばかりか、住居棟と離れてしまうという不具合が生じる。一方、建物の屋根裏等に収納空間を設ける場合には、一つあたりの収納空間が小さくなり、また収納空間が分散して存在することとなり、大型の物品を保管することが困難であるという問題点や、整理整頓や物品の出し入れが困難であるという問題点が生じていた。
【０００４】
そこで、特許文献１では、３階建ての建物において、２階に物品の保管、貯蔵のための蔵型収納階を設け、該蔵型収納階を区画して蔵型収納室を設けることとした。このような構造を有する収納スペースを設けることで、大型の物品を保管することが可能となる。
【特許文献１】特開平６−３２３００９
【発明の開示】
【発明が解決しようとする課題】
【０００５】
しかし、特許文献１に記載の発明では、収納階を設けるために、１階住居階に天井高にゆとりをもたせた開放的な空間を設けることができない。しかも、収納階を住居階と別に設けており、物品の出し入れをするためには、その階までわざわざ行かなければいけないので、物品の出し入れの利便性には劣る。また、収納階を住居階と別に設けているため、収納階に至るためには階段を通らざるを得ず、収納室に保管できる物品の形状は、収納室の入り口の大きさではなく収納階に至る階段の大きさにて制限されてしまうという課題がある。
【課題を解決するための手段】
【０００６】
このような課題を解決するため、第一発明では、１階居室スペースと、１階居室スペースの床面から所定の高さに床面を構成する部材を設けることで形成され、天井面が１階居室スペースの天井面と略同一の高さであり、取り出し口が１階居室スペースに面している収納スペースと、前記収納スペースの天井面の反対面が床面となるように形成された２階居室スペースと、を有する建物を提供する。また、第二発明では、前記収納スペースの天井面を構成する部材は、遮音天井用部材であることを特徴とすることで、遮音性に優れた建物を提供することができる。さらに、第三発明では、前記収納スペースの床面を構成する部材は前記１階居室スペースの壁面を構成する一の壁面から他の壁面にわたされることで配置されているため、耐震性が向上した建物。
【０００７】
第四発明では、第一発明から第三発明のいずれか一に記載の建物であって、前記部材はパネルであり、パネル工法により建設されていることを特徴とする建物を提供する。第五発明では、前記収納スペースの面積は、２階居室スペースの１／２未満であることを特徴とする建物を提供する。第六発明では、前記収納スペースの床面と天井面との間は１．１ｍ以上１．４ｍ以下であることを特徴とする建物を提供する。
【発明の効果】
【０００８】
以上のような構成をとる本発明の蔵型収納付き建物は、収納スペースの天井面と１階居室スペースの天井面が略同一の高さとなるように形成されているため、高さにゆとりがある１階居室スペースを設けた建物を供給することができる。また、一般的には建物の天井高が高くなるほど上部の水平変位が大きくなるため耐震性能が劣化するが、本発明の建物では、収納スペースを設けることにより、その床面を構成する部材が建物の梁などの軸組部材としての役割をも果たすため、高さにゆとりがある１階居室スペースを設けたにも関わらず、通常の天井高の居室スペースを有する建物と同様の耐震性能を有する建物を供給することができる。
【０００９】
また、収納スペースの入り口が１階居室スペースに面しており、収納スペースの入り口を通過する物品であれば大型の物品であっても収納することができる。また、収納スペースが住居階に設けられているため、物品の出し入れの利便性も向上した建物を供給することができる。
【００１０】
さらに、収納スペースの下にも居室スペースを設けることができ、該収納スペース下の居室スペースは、２階居室スペースとの間に収納スペースを介することで、２階居室空間からの足音などの騒音が遮音された静かな居室スペースとなる建物を供給することができる。収納スペースの天井面を構成する部材を遮音天井用の部材とすることで、上記利点を最大限に生かすことも可能である。
【発明を実施するための最良の形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。なお、実施形態１は主に請求項１、２について説明する。実施形態２は主に請求項３、４について説明する。実施形態３は主に請求項５、６について説明する。
【００１２】
≪実施形態１≫
【００１３】
（実施形態１の概念）図１は本実施形態の蔵型収納付き建物の断面の概要を示す図である。図１に示すように、蔵型収納付き建物は、ゆとりの空間をもたせた１階居室スペース（１０１）から所定高さのところに入り口が設けられた収納スペース（１０２）を有する。該１階居室スペース（１０１）と収納スペース（１０２）との天井面の高さは略同一であり、その上には２階居室スペース（１０３）を備える。また、収納スペース（１０２）の床面の下にも居室スペース（１０４）を設けることができる。
【００１４】
（実施形態１の構成）本実施形態にかかる「建物」（１００）は、図１に示すように、「１階居室スペース」（１０１）と、「収納スペース」（１０２）と、「２階居室スペース」（１０３）とからなる。
【００１５】
（実施形態１の構成の説明）「建物」（１００）は、蔵型の収納スペースを有する建物である。本実施形態にかかる蔵型の収納スペース（１０２）は、１階居室スペース（１０１）と収納スペース（１０２）とを合わせた形状が逆Ｌ型にも見えることからＬ蔵とも呼ばれる。また、本実施形態にかかるＬ蔵型収納付き建物は「Ｌ蔵のある家」とも呼ばれる。
【００１６】
「１階居室スペース」（１０１）は、建物の１階部分の部屋の一つである。本実施形態では、特に収納スペース（１０２）の入り口が面している部屋をいう。建物の１階部分には、１階居室スペース（１０１）以外の居室スペースやキッチン、トイレなどを有する。１階居室スペースの床面（１０５）から天井面（１０６）までの高さは、一般的な居室スペースよりも高くし、例えば、１１．５尺（約３．４８ｍ）などとする。このように、１階居室スペース（１０１）の天井面（１０６）を一般的な居室スペースの天井面までの高さよりも高くし、ゆとりのある空間とする。
【００１７】
「収納スペース」（１０２）は、１階居室スペース（１０１）の床面（１０５）から所定の高さに床面（１０７）を構成する部材を設けることで形成され、天井面（１０８）が１階居室スペースの天井面（１０６）と略同一の高さであり、取り出し口（１０９）が１階居室スペース（１０１）に面しているものをいう。
【００１８】
収納スペースの床面（１０７）は、１階居室スペースの床面（１０５）から所定の高さに部材を設けることで形成することができる。所定高さとは、１階居室スペースの床面から一般的な大人が立った状態にて頭が届かない程度の高さである。より具体的には、１階居室スペースの床面から２ｍ以上の高さを所定高さとして収納スペースの床面を設けることが望ましい。例えば、１階居室スペースの床面（１０５）から天井面（１０６）までの高さが１１．５尺（約３．４８ｍ）であれば、収納スペースの床面（１０７）の高さを１階居室スペースの床面（１０５）から７尺（約２．１２ｍ）から８尺（約２．４２ｍ）程度の高さとする。望ましくは、１階居室スペースの床面（１０５）から７．５尺（約２．２７ｍ）程度の高さとする。上記の場合には、収納スペースの床面（１０７）から天井面（１０８）までの高さはいずれも１．４ｍ以下となる。なお、収納スペースの床面（１０７）から天井面（１０８）までの高さは、１．１ｍ以上とすることで、広い収納スペースとすることができる。このように、収納スペース（１０２）の高さを１．１ｍ以上、１．４ｍ以下とすることで、平均的な身長の大人が腰や頭を低くした状態で自由に移動でき、物品の出し入れをスムーズに行うことができる。
【００１９】
また、１階居室スペースの床面（１０５）から収納スペース床面（１０７）までの高さが約２ｍ以上であるため、収納スペース（１０２）の下に１階居室スペース（１０１）、収納スペース（１０２）とは別の居室スペース（１０４）を設けることができる。この別の居室スペース（１０４）と２階居室スペース（１０３）との間には収納スペース（１０２）が存在するため、当該居室スペース（１０４）は、２階居室スペース（１０３）からの騒音が届きにくく、遮音性が高い静かなスペースとすることができる。また、収納スペースの天井面（１０８）を構成する部材を遮音天井用部材とすることで、この居室スペース（１０４）をより一層静かなスペースとすることができる。例えば、この居室スペース（１０４）は寝室や茶室などの静かで落ち着いた空間として利用することができる。なお、この居室スペース（１０４）と１階居室スペース（１０１）とは一体感を持たせて連続した空間として形成しても良いし、間に壁面を設けて別の空間として形成しても良い。
【００２０】
収納スペースの天井面（１０８）は、１階居室スペースの天井面（１０６）と略同一の高さであるため、１階居室スペース（１０１）は、高さにゆとりのある空間とすることができる。また、収納スペースの取り出し口（１０９）は、１階居室スペース（１０２）に面しているため、収納スペースの取り出し口（１０９）を通過する物品であれば大型の物品であっても収納することができ、収納スペース（１０２）に収納した物品も容易に取り出すことができる。収納スペース（１０２）からの物品の取り出しは、梯子（１１０）などを設けることにより行うことができる。さらに、収納スペース（１０２）と２階居室スペース（１０３）とを繋ぐ２階取り出し口（１１４）を設けてもよい。２階取り出し口（１１４）を設けることで、２階の物品をも直接収納スペース（１０２）に収納することができる。このため、建物全体としての重心が低くなり、この点においても耐震性能を向上させることができる。さらに、収納スペース（１０２）の外部に面した壁面に、通気口（１１５）を設けても良い。通気口（１１５）を設けることにより、収納スペース（１０２）の換気を行うことができるほか、１階居室スペースについても同時に換気を行うことができる。また、２階取り出し口（１１４）と通気口（１１５）の双方を設ける場合には、図１の矢印にて示す動線を確保することができる。このため、２階取り出し口（１１４）と通気口（１１５）の開口部の大きさを人が通れる程度の大きさ以上とすると、火災などの非常時に収納スペース（１０２）を通って避難することができる。
【００２１】
図２に、収納スペースの平面図を示す。図２（ａ）に示すように、収納スペース（２０１）は、その周囲が壁面（２０２）にて囲われており、取り出し口（２０３）にて１階居室スペースに面している。また、収納スペースの形状は、図２（ａ）に示すように矩形状としても良いし、図２（ｂ）に示すように、矩形を組み合わせたような形状としても良い。
【００２２】
また、収納スペース（１０２）は、一の広い空間に収納スペースを形成するための床面や壁面を設けることで形成することができる。図１では、収納スペースを設けることで、一の広い空間に収納スペース（１０２）を形成し、さらに、空間を１階居室スペース（１０１）と、これとは別の居室スペース（１０４）とに分けている。１の広い空間の分け方の具体例を図３に示す。例えば、図３（ａ）では、１の空間の一辺に沿う形状の収納スペース（３０２）を設けている。図３（ａ）では、広い収納スペース（３０２）と、適度な広さの１階居室スペース（３０１）を提供することができる。図３（ｂ）では、１の空間の一角に収納スペース（３０２）を設けている。図３（ｂ）では、収納スペース（３０２）の大きさが図３（ａ）の場合よりも小さくなるが、広々とした１階居室スペース（３０１）を提供することができる。図３（ｃ）では、１の空間にＬ字状の収納スペース（３０２）を設けている。図３（ｃ）では、広々とした収納スペース（３０２）と、吹き抜けのような１階居室スペース（３０１）と、静かで広い収納スペース下の居室スペースを提供することができる。
【００２３】
「２階居室スペース」（１０３）は、建物（１００）の２階部分の部屋の一つであり、前記収納スペース上部の居住空間をいい、前記収納スペース（１０２）の天井面（１０８）の反対面が床面（１１２）となるように形成されている。２階居室スペースの床面（１１２）と収納スペースの天井面（１０７）とを表裏一体となるように形成することで、収納スペース（１０２）を形成することによる手間を最小限とすることができる。また、建物の２階部分には２階居室スペースの他にも居室スペース（１１１）等を設けても良い。２階居室スペース以外の２階部分の床面は、１階居室スペースの天井面（１０６）などと表裏一体として形成されていても良い。
【００２４】
（実施形態１の具体例）本実施形態の建物を在来工法にて形成した場合について説明する。在来工法とは、柱・梁・筋交いなど、木の「軸」を組み立てて建物を支える工法である。図４は在来工法を用いた場合の建物の骨組みを例示している。図４は、本実施形態を説明するために必要最低限の骨組みのみを模式的に示しているため、本実施形態にかかる建物がこれらの骨組みのみに限られるものではない。
【００２５】
図４では、建物の１階居室スペース（４０１）の床面から建物の屋根の高さに相当する長さの柱（４０４）が建物の四隅に設けられており、その間に収納スペース（４０２）を形成するための柱（４０５）が設けられている。図４では、当該柱（４０５）は１階居室スペース（４０１）の床面から天井面までの高さに相当する長さであるが、建物の屋根の高さに相当する長さのものとしても良い。建物の四隅に設けられた柱（４０４）と収納スペースを形成するために設けられた柱（４０５）を連結するように収納スペースの床面を構成するための部材（４０６）が設けられており、収納スペースの天井面を構成するための部材（４０７）は、そのまま２階居室スペース（４０３）を形成するための部材となっている。
【００２６】
図４に示すように、１階居室スペース（４０１）は、ゆとりの空間となるように、天井高を高くしている。このように天井高を高くすると、一般的には水平方向への応力に対する耐震性が弱くなってしまう。これを図５に示す。図５（ａ）に示すのは、本実施形態の収納スペース（４０２）を設けずに、本実施形態の１階居室スペースと同じ高さの居室スペースを有する建物の該略図である。図５（ａ）の状態の建物に、地震などによる水平方向の応力が加わると、図５（ｂ）のように倒壊してしまう可能性が高い。しかし、本実施形態にかかる建物では、収納スペース（４０２）を形成するための部材（４０６）が梁の役割をも有しているため、耐震性能が向上する。これを図６に示す。図６（ａ）の状態の本実施形態の建物に、地震などによる水平方向の応力が加わったとしても、図６（ｂ）に示すように、収納スペースを形成するための部材（４０６）が梁の役割をするため、耐震性能が向上し、倒壊を防ぐことができる。なお、建物の耐震性能は、これらの梁だけによるものではないため、種種の条件により倒壊するか否かの耐震性の評価は異なるが、少なくとも梁を設けることで耐震性能が向上する。しかも、本実施形態における建物では、単純に補強用の梁を設けるのみでなく、その梁を利用して収納スペース（４０２）を形成し、かつ、天井高さにゆとりがある１階居室スペース（４０１）を提供することができるのである。
【００２７】
ここで、１階居室スペースとしては、天井高は３ｍ以上３．６ｍ以下程度が望ましく、１１．５尺（約３．４８ｍ）程度がさらに望ましい。また、１階居室スペースの床面から収納スペースの床面までの高さは、２ｍ以上２．４ｍ以下程度が望ましく、７．５尺（約２．２７ｍ程度）がさらに望ましい。そして、収納スペースの天井高は１．１ｍ以上１．４ｍ以下程度が望ましく、４尺（約１．２１ｍ）程度がさらに望ましい。このようにすることで、１階居室スペースには十分な天井高を有する広々とした開放的な空間として利用することができ、収納スペースは大人が腰を曲げた状態にて作業可能な大きな収納空間として利用することができ、さらに、収納スペース下の居室スペースは一般的な大人の身長であれば立って移動することに不自由が無い通常の居室空間として利用することができる。
【００２８】
（実施形態１の効果）以上のような構成をとる本実施形態の蔵型収納付き建物は、収納スペースの天井面と１階居室スペースの天井面が略同一の高さとなるように形成されているため、高さにゆとりがある１階居室スペースを設けた建物を供給することができる。また、一般的には建物の天井高が高くなるほど上部の水平変位が大きくなるため耐震性能が劣化するが、本発明の建物では、収納スペースを設けることにより、その床面を構成する部材が建物の梁などの軸組部材としての役割をも果たすため、高さにゆとりがある１階居室スペースを設けたにも関わらず、通常の天井高の居室スペースを有する建物と同様の耐震性能を有する建物を供給することができる。
【００２９】
また、収納スペースの入り口が１階居室スペースに面しており、収納スペースの入り口を通過する物品であれば大型の物品であっても収納することができる。また、収納スペースが住居階に設けられているため、物品の出し入れの利便性も向上した建物を供給することができる。
【００３０】
さらに、収納スペースの下にも居室スペースを設けることができ、該収納スペース下の居室スペースは、２階居室スペースとの間に収納スペースを介することで、２階居室空間からの足音などの騒音が遮音された静かな居室スペースとなる建物を供給することができる。収納スペースの天井面を構成する部材を遮音天井用の部材とすることで、上記利点を最大限に生かすことも可能である。
【００３１】
≪実施形態２≫
【００３２】
（実施形態２の概念）実施形態１に記載した建物は、柱や梁を用いた在来工法にて築造する場合を示したが、本実施形態にかかる建物は、枠組壁工法（２×４工法ともいう）、木質パネル工法（パネル工法ともいう）にて築造する場合を示す。２×４工法やパネル工法では、床や壁などが荷重を受ける構造となっているため、在来工法よりもさらに耐震性に優れた建物を提供することができる。
【００３３】
（実施形態２の構成）本実施形態にかかる「建物」（７００）は、図７に示すように、実施形態１の建物を基本とし、「１階居室スペース」（７０１）と、「収納スペース」（７０２）と、「２階居室スペース」（７０３）とからなる。
【００３４】
（実施形態２の構成の説明）本実施形態の１階居室スペース（７０１）と、収納スペース（７０２）と、２階居室スペース（７０３）は、実施形態１の記載を基本として、さらに、２×４工法やパネル工法にて形成されている。なお、図７に示す７０４〜７１５の構成は、図１に示す１０４〜１１５の構成にそれぞれ対応する。
【００３５】
また、本実施形態の収納スペース（７０２）の床面を構成する部材は、前記１階居室スペース（７０１）の壁面を構成する一の壁面から他の壁面にわたされることで配置されていることを特徴とする。図８にパネル工法にて該床面を配置する場合を簡略的に示す。図８に示すように、１階居室スペースの一の壁面（８０１）から、対向する他の壁面（８０２）にわたされた収納スペースの床面を構成する部材（８０３）が配置されることにより、収納スペースが形成される。なお、収納スペースの床面を構成する部材は、図８に示すように、１階部分を全て覆うわけではないので、収納スペースの床面を構成する部材が配置されない箇所は、天井高にゆとりがある１階居室スペースを提供することができる。
【００３６】
このように、床面を構成する部材を１階居室スペースの壁面間に設けることで、１階居室スペースを構成する壁面を、梁にて保持する場合よりも広い範囲で保持することができるため、実施形態１に記載の建物よりも耐震性能に優れた建物を供給することができる。さらに、１階居室スペース（７０１）、収納スペース（７０２）、２階居室スペース（７０３）を構成する壁面の一部または全部を耐力壁とすることで、耐震性能をさらに向上させることができる。
【００３７】
（実施形態２の具体例）図９を用いて本実施形態の建物をパネル工法にて形成した場合について説明する。図９は、図７のＡ−Ａ方向から建物（７００）見た場合の１階部分の床面から２階部分の床面までの断面を示す。図９では、まず、建物の１階部分の床面に相当する面積の床面パネル（９０１）に、１階居室スペースの床面から天井面に相当する高さの壁パネル（９０２、９０３、９０４）を設ける。図９では、３枚の壁パネルを例示しており、これらはいずれも１１．５尺（約３．４８ｍ）の長さである。次に、１階部分の床面パネル（９０１）から７．５尺（約２．２７ｍ）の高さにサブ床パネル（９０５）を設け、該サブ床パネル（９０５）から４尺（約１．２１ｍ）の高さに２階居室スペースの床パネル（９０６）を設ける。左端の壁パネル（９０２）と中央の壁パネル（９０３）には、床面から所定高さ（図９では７．５尺）のところに埋木処理を施して突起部（９０８）を形成し、所定高さにサブ床パネル（９０５）を設置できるようにしておく。また、左端の壁パネル（９０２）と中央の壁パネル（９０３）の１階床面側と反対側の端部には、切欠を設けて２階居室スペースの床パネル（９０６）を設置できるようにしておく。このようにして、サブ床パネル（９０５）を１階居室スペースと２階居室スペースとの間の所定高さに設けると、サブ床パネル（９０５）が軸組みの役割を担う部材の一つとなるため、サブ床パネルを設けないで２階居室スペースの床パネルのみを設けた場合よりも、耐震性能の高い構造とすることができる。
【００３８】
また、収納スペースを設けない側の右端の壁パネル（９０４）と中央の壁パネル（９０３）の間には、図９に示すようにサブ床パネル（９０７）を設けて階段の踊り場などを形成しても良いし、図１０に示すように前記２階居室スペースの床パネル（９０６）とは異なる高さに中２階を形成するための床パネル（１００２）を用いても良い。この場合、右端の壁パネル（１００３）は、中２階の高さ相当のものを利用することができる。また、図１１に示すように、前記２階居室スペースの床パネル（１１０２）と略同一の高さにさらに別の床パネル（１１０３）を設ける場合には、耐震構造上、１階居室スペースの床面パネル（１１０１）から３．３５ｍ以下の高さに軸組水平構面（１１０４）を設けることが望ましい。
【００３９】
このように、収納スペースを設けない側の右端の壁パネル（９０４）と中央の壁パネル（９０３）との間については、耐震性能を向上させるために軸組水平構面あるいは同等の床パネル、サブ床パネルを設けることが望ましいが、収納スペースを設ける側の壁パネルと壁パネルの間では、収納スペースのサブ床パネルが軸組水平構面の役割をも果たすため、軸組水平構面あるいは他の軸組材を設ける必要がない。したがって、収納スペースを設けることで、広い収納スペースを確保できるとともに、天井高にゆとりがある１階居室スペースを提供し、さらに耐震性能をも向上させることもできる。
【００４０】
このようにして、図７に示すようなゆとりの空間を有する１階居室スペースと、蔵型の広い収納スペース（７０２）と、２階居室スペースを有する建物（７００）を形成することができる。
【００４１】
なお、上記具体例では、パネル工法を用いた場合について説明したが、２×４工法などの壁工法でも同様の構成の建物を形成することができる。
【００４２】
（実施形態２の効果）以上のような構成をとる本実施形態の蔵型収納付き建物は、収納スペースの天井面と１階居室スペースの天井面が略同一の高さとなるように形成されているため、高さにゆとりがある１階居室スペースを設けた建物を供給することができる。また、一般的には建物の天井高が高くなるほど上部の水平変位が大きくなるため耐震性能が劣化するが、本発明の建物では、収納スペースを設けることにより、その床面を構成する部材は１階居室スペースの壁面を広範囲で保持することができるため、高さにゆとりがある１階居室スペースを設けたにも関わらず、耐震性能に優れた建物を供給することができる。
【００４３】
また、収納スペースの入り口が１階居室スペースに面しており、収納スペースの入り口を通過する物品であれば大型の物品であっても収納することができる。また、収納スペースが住居階に設けられているため、物品の出し入れの利便性も向上した建物を供給することができる。
【００４４】
さらに、収納スペースの下にも居室スペースを設けることができ、該収納スペース下の居室スペースは、２階居室スペースとの間に収納スペースを介することで、２階居室空間からの足音などの騒音が遮音された静かな居室スペースとなる建物を供給することができる。収納スペースの天井面を構成する部材を遮音天井用の部材とすることで、上記利点を最大限に生かすことも可能である。
【００４５】
《実施形態３》
【００４６】
（実施形態３の概要）本実施形態に記載の建物は、収納スペースの形状に一定の制約を設け、決められた敷地内に効率的な空間を有する建物を提供することができる。
【００４７】
（実施形態３の構成の説明）本実施形態にかかる建物は実施形態１または実施形態２に記載の建物を基本とし、以下の点で異なる。
【００４８】
本実施形態にかかる建物の収納スペースは、建物の２階部分の床面積の１／２未満であることを特徴とする。また、本実施形態の収納スペースの床面と天井面との間は１．１ｍ以上１．４ｍ以下であることを特徴とする。このため、収納スペースは建築基準法上の階としては取り扱われず、床面積の計算にも算入されない。このため、本実施形態の収納スペースを有する建物では、１階及び２階の居住空間の床面積を定められた容積率にて許容される最大値いっぱいとなるように建築した場合であっても、床面積の制限に関係なく大型の収納を確保することができる。なお、２階部分の床面積には、図１に示すスキップフロア（１１３）部分も含まれる。スキップフロアとは、半階ずらして設置されたフロアのことである。
【００４９】
（実施形態３の効果）以上のような構成をとる本実施形態の蔵型収納付き建物では、実施形態１または実施形態２に記載の効果に加えて、１階及び２階の居住空間の床面積を定められた容積率にて許容される最大値いっぱいとなるように建築した場合であっても、さらに、大型の収納を確保した建物を提供することができる。
【図面の簡単な説明】
【００５０】
【図１】実施形態１の建物の構成を示す断面図
【図２】収納スペースの平面図
【図３】収納スペースの形状を示す図
【図４】実施形態１の建物の具体例を説明する図
【図５】収納スペースを設けない場合の耐震性能を示す図
【図６】収納スペースを設けた場合の耐震性能を示す図
【図７】実施形態２の建物の構成を示す断面図
【図８】実施形態２の収納スペースの床面を構成する部材を説明する図
【図９】実施形態２の建物の構造例を示す図
【図１０】実施形態２の建物の他の構造例を示す図
【図１１】実施形態２の建物の他の構造例を示す図
【符号の説明】
【００５１】
１０１    １階居室スペース
１０２    収納スペース
１０３    ２階居室スペース
１０４    収納スペース下の居室スペース
１０５    １階居室スペースの床面
１０６    １階居室スペースの天井面
１０７    収納スペースの床面
１０８    収納スペースの天井面
１０９    収納スペースの取り出し口
１１０    梯子
１１１    ２階居室スペース以外の２階部分の部屋
１１２    ２階居室スペースの床面
１１３    スキップフロア
【図１】
2007218053.tif 000003
【図２】
2007218053.tif 000004
【図３】
2007218053.tif 000005
【図４】
2007218053.tif 000006
【図５】
2007218053.tif 000007
【図６】
2007218053.tif 000008
【図７】
2007218053.tif 000009
【図８】
2007218053.tif 000010
【図９】
2007218053.tif 000011
【図１０】
2007218053.tif 000012
【図１１】
2007218053.tif 000013